(57)【要約】      （修正有）【課題】テニス、バドミントン、スカッシュなどのラケットを使用するスポーツにおいて、ラケットのガットの自由な位置に取り付けてトレーニングができ、ガットを傷めないラケット用おもりを提供する。【解決手段】適度な重量と平面部分を備えた１対の固体から形成され、１対の固体のそれぞれの平面部分に、１対の固体を着脱可能にするための凹部と凸部を有し、それぞれの平面部分の任意の位置に弾力部材を取り付け、凸部の周に沿ってリング状の弾力部材を取り付ける。【選択図】図５
0003168456.tif 000002
【実用新案登録請求の範囲】
【請求項１】
適度な重量と平面部分を備えた１対の固体から形成され、前記１対の固体のそれぞれの前記平面部分に、前記１対の固体を着脱可能にするための凹部と凸部を有し、前記それぞれの平面部分の任意の位置に弾力部材を取り付けたラケット用おもりにおいて、
前記凸部の周に沿ってリング状の弾力部材を取り付けることを特徴とするラケット用おもり。
【請求項２】
前記１対の固体は、右固体と左固体から成り、左右対称、または左右非対称に形成することができ、木、金属、樹脂、ゴムなどの材質で成形することを特徴とする請求項１に記載のテニス用おもり。
【考案の詳細な説明】
【技術分野】
【０００１】  本考案のラケット用おもりは、テニス、バドミントン、スカッシュなどのラケットのガットに取り付け、素振りを行うことで筋力アップ、体力アップ、打球イメージなどのトレーニングができるラケット用おもりである。
【背景技術】
【０００２】  従来、ラケットのヘッドとグリップの間のスロートと呼ばれる三角形の部分に取り付けてトレーニングするおもりや、両面からガットを挟んで貼り合わせて使用するおもりがあった（例えば特許文献１、２）。
【先行技術文献】
【特許文献】
【０００３】
【特許文献１】  特開２００１−１８７１７３号広報
【特許文献２】  実開平２−１１６４７８号広報
【考案の概要】
【考案の解決しようとする課題】
【０００４】  前記特許文献１によれば、ラケットのスロートまたはラケットの面にウエイトを取り付けてボールを打つ、または素振りを行い筋肉に負荷をかけてトレーニングをするというものである。また、特許文献２によれば、基布で被覆したおもり２個でガットを挟み掛止具で止めるというものである。前記特許文献１のラケット用ウエイトはラケット面の下半分にのみ取り付け可能であり、ガットの自由な位置に取り付けられるものではなかった。また、特許文献２のテニスラケットの素振り練習用おもりは、ガットを挟んでガットに直接取り付けることでガットを傷めるという懸念があった。
【０００５】  本考案は、前述した特許文献の問題点を考慮し、テニス、バドミントン、スカッシュなどのラケットを使用するスポーツにおいて、ラケットのガットの自由な位置に取り付けてトレーニングができ、ガットを傷めないラケット用おもりを提供することを目的とする。
【課題を解決するための手段】
【０００６】  請求項１に記載の本考案は、適度な重量と平面部分を備えた１対の固体から形成され、１対の固体のそれぞれの平面部分に、１対の固体を着脱可能にするための凹部と凸部を有し、それぞれの平面部分の任意の位置に弾力部材を取り付けたラケット用おもりにおいて、凸部の周に沿ってリング状の弾力部材を取り付けることを特徴とする。
【０００７】  請求項２に記載の本考案は、１対の固体は、右固体と左固体から成り、左右対称、または左右非対称に形成することができ、木、金属、樹脂、ゴムなどの材質で成形することを特徴とする。
【考案の効果】
【０００９】  請求項１に記載の本考案のラケット用おもりは、１対の固体に適度な重量を備え、ガットに取り付けることで、素振り練習時に実際ラケットでボールを打った時のような重量感を体感することができる。また、ラケットのガットのどの部分にでも取り付け可能であり、取り付け位置により、トップヘビー、トップライトなど、ラケットの重心の位置を変えた素振り練習ができるという優れた効果を発揮する。
【００１０】  また、トップヘビーのラケットのヘッド側に取り付けることで、さらに強いトップヘビーに重心を位置させ、素振り練習をすることで遠心力を働かせた素振りトレーニングができ、体力アップ、筋力アップを図ることができる。また、ヘッド側が軽いトップライトのラケットには、グリップ寄りに本発明のラケット用おもりを取り付けることで、さらに手元側を重くするスイング練習ができ、手元側に重心が位置することで手元が安定しラケットの軌道がぶれないシャープな素振り練習をすることができる。ラケットの中心に本考案のラケット用おもりを取り付けた場合はミドルバランスで素振り練習ができる。このように、取り付ける位置により、ラケットスピードを速くする、ボールの回転数を向上させるなどさまざまなトレーニングができるという優れた効果を発揮する。
【００１１】  本考案のラケット用おもりをガットに取り付ける場合、テニスの愛好家であればラケットのガットが傷つくことに神経質であり、取り扱いにも慎重である。本発明のラケット用おもりの平面はラケットのガットに直接接触する部分であり、その平面の部分に弾力部材を取り付けることにより、両側からガットを挟持した場合に本考案のラケット用おもりが横にずれたり、ゆるんだりせずに固定され、またガットを傷めたりしないという優れた効果を発揮する。
【００１２】  請求項２に記載の本考案は、凸部の周に沿って弾力部材を設けることにより、凹部と凸部を螺合した場合に、弾力部材の弾力により固体同士を圧着状態にすることができ、固体同士が外れるという危険が軽減されるという優れた効果を発揮する。
【図面の簡単な説明】
【００１３】
【図１】  本考案のラケット用おもりの正面図である。
【図２】  本考案のラケット用おもりの背面図である。
【図３】  本考案のラケット用おもりの右側面図である。
【図４】  本考案のラケット用おもりのＡ−Ａ´線斜視片側断面図である。
【図５】  本考案のラケット用おもりのＡ−Ａ´線分解斜視片側断面図である。
【図６】  本考案のラケット用おもりの凹部を形成する固体の分解図である。
【図７】  本考案のラケット用おもりの凸部を形成する固体の分解図である。
【図８】  本考案のラケット用おもりの取り付け方法である。
【図９】  本考案のラケット用おもりの取り付け位置の例である。
【図１０】  本考案のラケット用おもりの取り付け位置である。
【図１１】  本考案のラケット用おもりの第２の実施例である。
【図１２】  本考案のラケット用おもりの第３の実施例である。
【図１３】  本考案のラケット用おもりの使用例である。
【考案を実施するための形態】
【００１４】  以下本発明を図面に示す実施形態図１〜１３に基づき説明をする。ただし、以下の実施するための形態は、本考案をラケット用おもりについての一例として説明するものであり、この説明の図の項に限定されるものではない。
【００１５】  図１は、本考案のラケット用おもりの正面図である。本考案のラケット用おもり１から構成される。
【００１６】  図２は、本考案のラケット用おもりの背面図である。斜視片側断面図の切り口Ａ、Ａ´から構成される。
【００１７】  図３は、本考案のラケット用おもりの右側面図である。右固体２、左固体３、弾力部材４、５、６から構成される。右固体２と左固体３の平面部分にそれぞれ弾力部材４、５を取り付ける。
【００１８】  図４は、本発明のラケット用おもりの図１Ａ−Ａ´の切り口の斜視片側断面図である。右固体２、左固体３、弾力部材４、５、６、係合部材となる凸部７、凹部８から構成される。右固体２と左固体３の間に弾力部材４、５、６が挟まり、凸部７、凹部８をもって螺合させて合体させる。
【００１９】  図５は、本発明のラケット用おもりの図１Ａ−Ａ´の切り口の分解斜視片側断面図である。右固体２、左固体３、弾力部材４、５、６、係合部材となる凸部７、凹部８から構成される。弾力部材４、５はラケットのガットの部分を傷めないためのものである。また、凸部７の周に沿って取り付ける弾力部材６は、ガットを傷めないことと、右固体２と左固体３を螺合した場合に、係合部材となる凸部７と凹部８が弛んで外れることを防止するためのものである。
【００２０】  凸部７の周に沿って取り付ける弾力部材６は、例えばゴムで形成し凸部７を凹部８に螺合した場合に、一方の係合部材が他方の係合部材を押し返す程度の弾力があることが肝要である。凸部７と凹部８を螺合結合した場合に、弾力部材６の弾力により、凸部７と凹部８同士が引っ張り合う格好となり、本考案のラケット用おもりが容易に外れるのを防止することができる。これにより、本考案のラケット用おもりは、ガットに確実に固定され、右固体２と左固体３が素振りの際に容易に外れることを防ぐことができる。
【００２１】  また、係合部材となる凸部７と凹部８はワンタッチ形式の係合部材や磁石などで形成することもでき、素材も金属、磁石に限らず、プラスチックなどの軽い素材で形成することもできる。
【００２２】  図６は、本考案のラケット用おもりの左固体３の分解図である。左固体３、弾力部材５、係合部材となる凹部８、左固体３に形成される平面部９から構成される。弾力部材５は平面部９に接着される。弾力部材５の素材は、ゴム、フェルト、発泡スチロールなどの柔らかい素材で形成し、また、凹部８は左固体３の平面部９に雌ネジを埋め込む。
【００２３】  図７は、本考案のラケット用おもりの右固体２の分解図である。右固体２、弾力部材４、６、係合部材となる凸部７、平面部１０から構成される。弾力部材４は、平面部１０に接着される。また、凸部７は右固体３の平面部１０に雄ネジを埋め込む。また、凸部７の周に沿ってリング状の弾力部材６を取り付けるが、弾力部材６の高さは、ラケットのガットの太さの直径よりも高く形成する。
【００２４】  弾力部材６は、リング状のものを凸部７に３段に重ねて取り付ける。ただし、リング１つでもラケットのガットの太さの直径よりリングの厚さが高い場合はこの限りではない。
【００２５】  図８は、本考案のラケット用おもり１をテニス用のラケットに取り付ける取り付け方法である。ガットを挟むように上と下から１対の固体２、３で挟み、任意の位置に取り付ける。この場合凸部７の周に沿って取り付けるリング状の弾力部材６の直径は、ラケットのガットを縦横に張った時にできる小さい四角いマス目の１個よりも小さく形成する。
【００２６】  係合部材となる凸部７と凹部８は１対が基本であるが、２対以上で形成することもでき、ラケットのガットを縦横に張った時にできる小さい四角いマス目をまたいで取り付けることもできる。係合部材を２対以上にする場合は、螺合結合ではなくワンタッチ結合が望ましい。
【００２７】  図９は、本考案のラケット用おもり１をテニス用のラケットに取り付けた場合の取り付け位置の例である。ガットの任意の位置に取り付けることでトップヘビー、トップライトなどの重心の位置を変えることができる。
【００２８】  図１０は、本考案のラケット用おもりをテニスのラケットに取り付けた場合の取り付け位置である。例えばａに取り付けた場合は、初級者向けの位置。ｂに取り付けた場合は、中級者向けの位置。ｃに取り付けた場合は、上級者向けの位置。ｅ、ｄに取り付けた場合は、トップスピンをかけたい時のイメージで振る位置。ｆ、ｇに取り付けた場合はアンダースピンをかけたい時のイメージで振る位置等、取り付ける位置により様々な打球をイメージした素振り練習ができる。
【００２９】  図１１は、本考案のラケット用おもりの第２の実施例である。
【００３０】  図１２は、本考案のラケット用おもりの第３の実施例である。本考案のラケット用おもりは、木、金属、ゴム、樹脂などで成形し、それぞれの固体は動植物やスポーツアイテム、アニメのキャラクターなどで形成することができる。
【００３１】  図１３は、本考案のラケット用おもりの使用例である。任意の位置に取り付けて、素振りをすることで、体力アップ、筋力アップ、打球イメージづくりなどのトレーニングができる。
【産業上の利用可能性】
【００３２】  野球などに比べて、テニスやバドミントンのトレーニング器具が少ないのは周知の事実である。本考案のラケット用おもりはラケット自体に重量を加算することができることと、重心を任意の位置に設定することができることで、素振りをするだけで体力、技術の向上を図ることができる。よって、テニス、バドミントン、スカッシュなどラケットを使用するスポーツの新たなトレーニング器具として普及の可能性がある。
【符合の説明】
【００３３】１  本考案のラケット用おもり
２  右固体
３  左固体
４、５、６  弾力部材
７、８  係合部材
９、１０  平面部
Ａ、Ａ´  断面線
ａ〜ｇ  本考案のラケット用おもりの取り付け位置
0003168456.tif 000003
0003168456.tif 000004
0003168456.tif 000005
0003168456.tif 000006
0003168456.tif 000007
0003168456.tif 000008
0003168456.tif 000009
0003168456.tif 000010
0003168456.tif 000011
0003168456.tif 000012
0003168456.tif 000013
0003168456.tif 000014
【手続補正書】
【提出日】平成23年3月9日(2011.3.9)
【手続補正２】
【補正対象書類名】図面
【補正対象項目名】全図
【補正方法】変更
【補正の内容】
【図１】
0003168456.tif 000015
【図２】
0003168456.tif 000016
【図３】
0003168456.tif 000017
【図４】
0003168456.tif 000018
【図５】
0003168456.tif 000019
【図６】
0003168456.tif 000020
【図７】
0003168456.tif 000021
【図８】
0003168456.tif 000022
【図９】
0003168456.tif 000023
【図１０】
0003168456.tif 000024
【図１１】
0003168456.tif 000025
【図１２】
0003168456.tif 000026
【図１３】
0003168456.tif 000027